(57)【要約】      （修正有）【課題】コード不要で手軽に照明でき、使用者に便利性を提供する。【解決手段】半球形又は円筒形の内側に空隙部を有し該空隙部の一側閉口、一他側開口となっている容器内に複数又は単数のＬＥＤランプ１２を備え外周にフレキシブルチューブ１４を接続しＬＥＤ点灯のための電線を該ＬＥＤにつなぎフレキシブルチューブ１４の内側を介して下端に設けた電池ケース１５内の電池１６に接続する。該電池ケース１５内には充電可能な電池１６を単数又は複数備え充電コントロール部１７には電流をＯＮ、ＯＦＦするスイッチ２４、及び充電中を表示するＬＥＤランプ１９。電源がＯＮであることを表示するＬＥＤランプ１９及び交流直流変換アダプターと接続可能なコネクター２０を装着又下端には鉄製の略円筒形の空隙部を有し該空隙部は一側開口、一側閉口の容器内に磁力物性を備えたマグネットの部品と非磁性体のカバーを装着した磁力固定式、充電式照明用ＬＥＤランプ【選択図】図２
2005116491.tif 000002
【特許請求の範囲】
【請求項１】
半球形又は円筒形の内側に空隙部を有し該空隙部の一側閉口、一他側開口となっている容器内に複数又は単数のＬＥＤランプを備え外周にフレキシブルチューブを接続しＬＥＤ点灯のための電線を該ＬＥＤにつなぎフレキシブルチューブの内側を介して下端に設けた電池ケース内の電池に接続する。
該電池ケース内には充電可能な電池を単数又は複数備え充電コントロール部には電源をＯＮ、ＯＦＦするスイッチ、及び充電中を表示するＬＥＤランプ及び交流変換アダプターと接続可能なコネクターを具備する。又下端には鉄製の略円筒形の空隙部を有し該空隙部は一側開口、一側閉口の容器内に磁力物性を備えたマグネットの部品と非磁性体のカバーを装着した磁力固定式、充電式照明用ＬＥＤランプ。
【請求項２】
半球形又は円筒形の内側に空隙部を有し該空隙部の一側閉口、一他側開口となっている容器内に複数又は単数のＬＥＤランプを備え外周にフレキシブルチューブを接続しＬＥＤ点灯のための電線を該ＬＥＤにつなぎフレキシブルチューブの内側を介して下端に設けた電池ケース内の電池に接続する。
該電池ケース内には充電可能な電池を単数又は複数備え充電コントロール部には電源をＯＮ、ＯＦＦするスイッチ、及び充電中を表示するＬＥＤランプ及び交流直流変換アダプターと接続可能なコネクターを具備する。又下端に２枚の金属片又は樹脂片をそれぞれの両端を大体９０°に折り曲げ折り曲げた側に２ヶの貫通穴を設け該貫通穴を介して２枚の金属片又は樹脂片を対称に組み合わせてシャフトを挿入しかつシャフト外周上には該金属片又は樹脂片を互いに反対方向に反発させるべくスプリングを装着して物体を強固に挟むクランプを装着した充電式クランプ付照明用ＬＥＤランプ
【発明の詳細な説明】
【考案の詳細な説明】
【産業上の利用分野】
本考案は機械、機器、自動車等の段取り、修理に照明が必要な場合に交流電源のとれないところでも用いることができる。本発明はコード不要であるため手軽に照明ができる。使用者に便利性を提供するものである。
【背景技術】図１は従来の技術を示すものである。
白熱灯▲１▼をワン型カサ▲２▼の中に装着されておりソケット▲３▼を介してフレキシブルチューブ▲４▼の内径にコードを通してＡＣ電源プラグ▲８▼を介してＡＣ電源に接続されている。
【考案しようとする問題点】
照明を装着しようとする機械、機器までコードをつながなければならないため大変面倒であり又コードを引っ掛けてケガをする場合もある。
特に屋外で使用する場合コードを延長しようにも限りがあるため限られた範囲でしか使えない。電球に発熱灯を用いる場合、長い間使用すると発熱が起こり夏場の作業等で使用する場合使用者に不快感を与える。また、電球の寿命が短い為、頻繁に交換しなければならない。上消費電力も大きく電気代が高くなる。
【問題点を解決するための手段】
【０００１】請求項１の本考案は上記問題点を解消した照明を提供するものである。図２▲１１▼は半球形又は略円筒形空隙部を有し該空隙部は一側閉口、一側開口となっている。一方、該容器はフレキシブルチューブ▲１４▼に接続されている。このＬＥＤはリード線▲１３▼を接続しフレキシブルチューブ内を経由して下端に設けたケース▲１５▼の中に導かれる。ケース▲１５▼の中には充電可能な電池▲１６▼を単数又は複数備え、又充電コントロール用プリント基板Ａｓｓｙ▲１７▼にはＯＮ、ＯＦＦスイッチ▲２４▼、充電中を表示するＬＥＤランプ▲１８▼、通電中であることを表示するＬＥＤランプ▲１９▼、交流直流変換アダプターと接続可能なコネクター▲２０▼装着している。
一方下端には鉄又はステンレス製の略円筒形の空隙部を有し該空隙部は一側閉口、一側開口となっている容器▲２１▼を設け磁力の物性を備えたマグネットの部品▲２２▼を装着し非磁性体のプレート▲２３▼を備えた磁力固定式コードレス、充電式照明用ＬＥＤランプである。
【０００２】請求項２の本考案は上記問題点を解消した照明を提供するものである。
図３▲１１▼は半球形又は略円筒形空隙部を有し該空隙部は一側閉口、一側開口となっている。一方、該容器はフレキシブルチューブ▲１４▼に接続されている。このＬＥＤはリード線▲１３▼を接続しフレキシブルチューブ内を経由由して下端に設けたケース▲１５▼の中に導かれる。ケース▲１５▼の中には充電可能な電池▲１６▼を単数又は複数備え、又充電コントロール部▲１７▼にはＯＮ、ＯＦＦスイッチ▲２４▼、充電中を表示するＬＥＤランプ▲１８▼、電源がＯＮであることを表示するＬＥＤランプ▲１９▼、交流直流変換アダプターと接続可能なコネクター▲２０▼装着している。
一方下端には２枚の金属片又は樹脂片をそれぞれの両端を大体９０°に折り曲げた側片▲２５▼を有し折り曲げた両端の側片それぞれにシャフトを挿入可能な貫穴を設ける。該貫通穴を介して２枚の金属片又は樹脂片を対称に組み合わせてシャフトを挿入かつシャフト外周上には該金属片又は樹脂片を互いに反対方向に反発させるスプリングを装着する。
２枚の金属片又は樹脂片はスプリング力によりシャフトを軸としてそれぞれ反対方向に回動し▲２７▼点における物体を狭圧し固設している。ＬＥＤランプケース、フレキシブルチューブ、電池ケースは金属又は樹脂で構成されたクランプＡｓｓｙと固設されている。
【考案の効果】
【０１１】従来はこの種の照明器具は機械の段取替や故障修理等の極部照明用として広く使われている通常白熱灯が光源として用いられているが電流消費量が多く、発熱も多く、電球を覆っているカサが高温になり時には誤って接触するとヤケドを負うこともある。本発明はＬＥＤランプを用い必要な明るさによって複数個のＬＥＤランプを使用しているため発熱がない。故、使用者によってとても安全に使える利点がある。
【０１２】電気使用量も白熱灯に比べるとＬＥＤは１／１０と格段に少なくてすむ従って使用者にとって大きくコスト低減をもたらすことができる。
【０１３】白熱灯の耐久性が少ないため比較的短時間の電球の交換が必要であるが、ＬＥＤランプは８０，０００時間から１００，０００時間と格段にその耐久性は長く殆ど電球の交換を要しない。
【０１４】充電・電池式、コードレスであるため使う場所を選ばないし手軽に持ち運びができて使いやすい。
屋外等ＡＣ電源のとれない場所でも照明を使うことができる。
【０１５】請求項１の本願は磁石を用いて電池ケース及びＬＥＤランプを固定する方式である故  施盤、フライス等工作用設備の段取照明として最適である。
通常このような各種工作機械の本体ボデーは鉄でできている故  照明の使いやすい位置にただ置くだけで電池ケースが固定できる又フレキシブルチューブを用いているため照明を得たい角度に自在に曲げて照明の方向を調整できる使い易さがある。
【０１６】請求項２の本願は凸物を狭圧するクランプと電池ケース及びＬＥＤを固設させているのでクランプは凸物  又は棒状のものを容易に挟みやすいのでＬＥＤランプの固定に当たっては使用者はクランプ場所を容易にみつけ出すことができる。又フレキシブルチューブを用いているため照明を得たい角度に自在に曲げて照明の方向を調整できる使い易さがある。
【図面の簡単な説明】
【図１】      従来技術の説明例である。
【図２】      本発明の実施形態を示す説明図である。
【図３】      本発明の実地形態を示す説明図である。
【符号の説明】
ＬＥＤランプ                    ▲１２▼
リード線                        ▲１３▼
フレキシブルチューブ            ▲１４▼
充電式電池                      ▲１６▼
マグネット                      ▲２２▼
電池ケース                      ▲１５▼
クランプ                        ▲２５▼
【図１】
2005116491.tif 000003
【図２】
2005116491.tif 000004
【図３】
2005116491.tif 000005